(57)【要約】 【課題】    オイル粘度の高低に係わらず、オイルレベル変動に速やかに追従してオイルレベルを一定に保つことができる定置用エンジンのオイルレベル調整装置を提供することである。  【解決手段】    定置用エンジン１０のオイルパン１１とオイルタンク３０とを制御弁を備えた配管で接続し、オイルパンにおけるオイルレベルに応じて制御弁を開閉させ、オイルパンにおけるオイルレベルを所望値に保つ定置用エンジンのオイルレベル調整装置であり、オイルパン１１とオイルタンク３０にはそれぞれポンプ２２，３２を備えたオイル循環配管系２１，３１を設け、両オイル循環配管系２１，３１にはそれぞれオイル温度調整装置２４を設け、両オイル循環系は制御弁４１，４３を備えた配管４０を介して接続し、オイルパン１１におけるオイルレベルとオイル温度に基づいてオイルパン１１におけるオイル循環配管系のオイル温度調整装置２４と制御弁４１，４３を制御する制御手段２０を設けた。  【選択図】  図１
2006046153.tif 000002
【特許請求の範囲】
【請求項１】
定置用エンジンのオイルパンとオイルタンクとを制御弁を備えた配管で接続し、オイルパンにおけるオイルレベルに応じて制御弁を開閉させ、オイルパンにおけるオイルレベルを所望値に保つ定置用エンジンのオイルレベル調整装置において、  
オイルパンとオイルタンクにはそれぞれポンプを備えたオイル循環配管系を設け、両オイル循環系は制御弁を備えた配管を介して接続し、オイルパンにおけるオイルレベルに基づいてオイルパンにおけるオイルレベルを所望な値に維持するように制御弁を制御する制御手段を設けたことを特徴とする定置用エンジンのオイルレベル調整装置。  
【請求項２】
上記請求項１において、両オイル循環系を接続する制御弁を備えた配管はオイルタンクにおけるオイル循環配管系のポンプの吐出側と吸入側にそれぞれ接続してあることを特徴とする定置用エンジンのオイルレベル調整装置。  
【請求項３】
上記請求項２において、両オイル循環系を接続する制御弁を備えた配管はオイルパンにおけるオイル循環系においてはオイル温度調整装置の入口側に接続してあることを特徴とする定置用エンジンのオイルレベル調整装置。  
【請求項４】
上記請求項１において、オイルパンのオイルレベルを検出する液面センサのオイルパンとの連通配管にはオイル保温手段を設けてあることを特徴とする定置用エンジンのオイルレベル調整装置。  
【請求項５】
上記請求項１において、両オイル循環配管系にはそれぞれオイル温度調整装置を設けてあり、各オイル温度調整装置は温度制御手段により各オイル循環配管系でのオイル温度をそれぞれ所望の値に制御するようになされていることを特徴とする定置用エンジンのオイルレベル調整装置。
【発明の詳細な説明】
【技術分野】
【０００１】
本発明は定置用エンジンのオイルレベル調整装置に係わり、特にオイルの粘度が高くてもオイルレベル変動に速やかに追従してオイルレベルを一定に保つことができる定置用エンジンのオイルレベル調整装置に関するものである。
【背景技術】
【０００２】
従来の定置用エンジンのオイルレベル調整装置は、下記特許文献１に示されるように、定置用エンジンにおけるオイルパンとは別にオイルタンクを設けて、オイルパンとオイルタンクを配管で接続し、配管の途中には制御弁を設けて、オイルパンにおけるオイルレベルを検出するとともにオイルタンクにおけるオイル温度も検出し、オイルレベルが下がりオイルの供給が必要になったら、オイルタンクのオイル温度に基づいて、制御弁の作動時間を調整するようにしていた。
【０００３】
この作動時間の調整は、オイル温度が低い場合は粘度が増して、流速が低下し、オイル供給が遅れるので、制御弁の開時間を粘度に合せて調整するものである。
【０００４】
【特許文献１】特開平５−２４００１８号公報
【発明の開示】
【発明が解決しようとする課題】
【０００５】
上記従来技術の定置用エンジンのオイルレベル調整装置では、オイルタンクとオイルパンとの液面を一致させるには、オイル温度に応じて制御弁の開時間を制御し自然流下でオイルを移動させるだけであるため、低温オイルのように粘度が高い場合、液面が一致するまでに相当時間を要するだけでなく、エンジンオイルの急速過熱や急速冷却のような過渡試験を行おうとする場合には、オイルレベルの調整が遅く、上記のような試験を行うことができなかった。
【０００６】
それゆえ、本発明の目的は、オイル粘度の高低に係わらず、オイルレベル変動に速やかに追従してオイルレベルを一定に保つことができる定置用エンジンのオイルレベル調整装置を提供することにある。
【０００７】
また、本発明の他の目的は、オイル粘度を所望値に設定変更しながら、オイルレベル変動に速やかに追従してオイルレベルを一定に保つ急速過熱や急速冷却などの過渡試験を遂行することができる定置用エンジンのオイルレベル調整装置を提供することにある。
【課題を解決するための手段】
【０００８】
上記目的を達成する本発明の特徴とするところは、定置用エンジンのオイルパンとオイルタンクとを制御弁を備えた配管で接続し、オイルパンにおけるオイルレベルに応じて制御弁を開閉させ、オイルパンにおけるオイルレベルを所望値に保つ定置用エンジンのオイルレベル調整装置において、オイルパンとオイルタンクにはそれぞれポンプを備えたオイル循環配管系を設け、両オイル循環系は制御弁を備えた配管を介して接続し、オイルパンにおけるオイルレベルに基づいてオイルパンにおけるオイルレベルを所望な値に維持するように制御弁を制御する制御手段を設けたことにある。
【発明の効果】
【０００９】
本発明においては、オイルパンとオイルタンクはともにオイル循環配管系に位置してオイルがポンプで循環しているので、制御弁が開放されるとポンプの吐出力で相手方のオイル循環配管系に急速に供給される。
【００１０】
また、オイルタンクおよびオイルタンク側ではそれぞれオイル温度調整装置でオイルは独自に所望の温度に制御できる。
【発明を実施するための最良の形態】
【００１１】
以下、本発明の技術的手段を具体化した実施例に基づいて説明する。
【実施例１】
【００１２】
図１において、１０は定置用エンジン、１１は定置用エンジン１０の下部に設けられたオイルパン、１２はオイルパン１１におけるオイルの最高レベルＨと中レベルＭと最低レベルＬを検出する液面センサである。液面センサ１２は、液面変動を瞬時に検出するために、定置用エンジン１０の直近に設置するのが望ましい。
【００１３】
１３，１４はオイルパン１１と液面センサ１２を連通する配管、１５は温度センサ１６で検出する液面センサ１２でのオイル温度に基づいて連通配管１３を暖め液面センサ１２での液面検出を容易にする保温手段（バンドヒータ）である。連通配管１３はオイル用であり、連通配管１４は空気用である。
【００１４】
１７はオイルパン１１に設置した温度センサ、１８は定置用エンジン１０の運転状態を検知する回転センサで、各センサ１２，１７，１８の検出結果は制御装置２０に送られる。温度センサ１６の検出結果も制御装置２０に送り、バンドヒータ１５への供給電力を制御するようにしてもよい。
【００１５】
２１はオイルパン１１におけるオイル循環配管系で、この配管系２１にはポンプ２２，オイル温度調整配管２３，オイル温度調整装置２４が設けられており、オイルはポンプ２２でオイルパン１１から汲み上げられてから、オイル温度調整配管２３−オイル温度調整装置２４−オイル温度調整配管２３を経て、オイルパン１１に戻る。オイル温度調整装置２４では制御装置２０からの指示で、オイルの温度を任意の所望温度に変更（設定）できる。
【００１６】
３０はオイルタンク、３１はオイルタンク３０におけるオイル循環配管系で、この配管系３１にはポンプ３２とその前後に制御弁３３，３４があり、制御弁３３とポンプ３２の間には逆止弁３５を設けてある。オイルタンク３０には温度センサ３６があり、図示していないオイル温度調整装置で、オイルタンク３０内のオイル温度を一定に保つようにしている。温度センサ３６の検出結果も制御装置２０に送り、図示していないオイル温度調整装置を制御するようにしてもよい。
【００１７】
４０はオイルパン１１におけるオイル循環配管系２１とオイルタンク３０におけるオイル循環配管系３１を接続するオイル供給配管で、オイルタンク３０からオイルパン１１にオイルを供給する場合はポンプ３２の吐出側から制御弁４１，逆止弁４２を介してオイルパン１１におけるオイル循環配管系２１におけるオイル温度調整装置２４の入力側に流れ、オイルパン１１からオイルタンク３０にオイルを戻す場合はオイル温度調整装置２４の入力側から制御弁４３を介してポンプ３２の吸入側に流れるようにしてある。
【００１８】
なお、各制御弁３３，３４，４１，４３は電磁弁など制御装置２０からの指令で開閉制御をすることができるものを用いている。  
次に、動作について説明する。
【００１９】
定置用エンジン１０の運転開始に合せ、制御装置２０はポンプ２２と温度調節装置２４を制御して所望の送液量でオイルを循環させ、温度センサ１７の検出結果に従って、所望のオイル温度に維持する。
【００２０】
また、制御装置２０は回転センサ１８の出力信号により定置用エンジン１０が運転状態にあることを判断し、オイルポンプ３２を運転し、制御弁３３，３４を開、制御弁４１，４３を閉にして、オイルタンク３０内のオイルをオイルタンク３０におけるオイル循環配管系３１で循環させる。制御装置２０は、液面センサ１２の出力信号によりオイルパン１１内のオイル保有量を検知・確認している。
【００２１】
オイルパン１１内のオイル保有量が最低レベルＬ以下になると、制御装置２０は、制御弁３３，４１を開、制御弁３４，４３を閉にして、ポンプ３２の吐出圧を利用してオイルタンク３０内のオイルをオイル供給配管４０からオイル温度調整装置２４を経てオイルパン１１内に注入する。尚、オイルの注入量は、液面センサ１２で中レベルＭ（オイルパン１１での液面レベルが所望な一定値）が検出されたら、制御弁３４を開、４１を閉に切り替えて注入を停止する。
【００２２】
また、逆に液面センサ１２の出力信号がオイルパン１１内のオイル保有量が最高レベルＨ以上になることを示すと、制御装置２０は制御弁３３，４１を閉、制御弁４３，３４を開として、オイルパン１１内のオイルをポンプ３２の吸引力・吐出力によりオイル供給配管４０を介してオイルタンク３０に注出する。この場合もオイルの注出量も常時一定となるように、液面センサ１２の中レベルＭが検出されたら制御弁３３を開、４３を閉に切り替えて注出を停止する。
【００２３】
なお、各逆止弁３５，４２は、流れが切り替わるときの流れの方向を規制し、各制御弁の開閉を容易にする。
【００２４】
このように、ポンプ２２，３２でオイルを常時循環させているので、オイルパン１１内のオイルレベル変化を検出したら、直ちに制御弁３３，３４，４１，４３の切り替えでオイルレベルに応じてオイルポンプ３２によりオイルを注入・注出することができる。
【００２５】
エンジンオイルの急速加熱、急速冷却のように、制御装置２０から出す指令でオイル温度調整装置２４での設定温度を急激に切り替え、オイルの粘性や膨張・収縮の変動に伴い急速にオイルパン１１内のオイルレベルが変動するような過渡試験を行う場合でも、ポンプ２２，３２でオイルを強制的に循環させておき、液面センサ１２の検出結果から制御弁３３，３４，４１，４３の開閉を切り替えるだけで、瞬時にオイルレベルを一定範囲に保つことができる。
【００２６】
各制御弁３３，３４，４１，４３を含む配管を襷掛けに形とし、交点位置にポンプ３２を設けて、オイルの供給と戻しにポンプ３２を共用しているが、供給用ポンプと戻し用ポンプに分離し、制御弁の開閉制御を簡単にしても構わない。
【００２７】
オイルパン１１に設置してあるポンプ２２はオイルパン１１の外部に設置してあってもよい。
【００２８】
オイルパン１１とオイルタンク３０間のオイル移動はポンプ３２の吐出力によるので、オイルタンク３０はオイルパン１１に対し自由な高さ位置に設置できる。
【００２９】
液面センサ１２やオイルタンク３０の温度制御は制御装置２０から独立した制御装置で実施してもよい。
【図面の簡単な説明】
【００３０】
【図１】本発明の一実施形態になる定置用エンジンのオイルレベル調整装置の概略図である。
【符号の説明】
【００３１】
１０‥定置用エンジン  
１１‥オイルパン  
１２‥液面センサ  
１６，１７，３６‥温度センサ  
１８‥回転センサ  
２０‥制御装置  
２２，３２‥ポンプ  
２３‥オイル温度調整配管  
２４‥オイル温度調整装置  
３０‥オイルタンク  
３３，３４，４１，４３‥制御弁
【図１】
2006046153.tif 000003